(57)【特許請求の範囲】
【請求項１】
展示スペースで展示される展示物を照明する照明装置を制御する照明制御方法であって、
前記展示物を撮影して前記展示物の撮影画像を表示するステップと、
前記表示された撮影画像における前記展示物の所望の位置の指定を受け付けるステップと、
複数の色のそれぞれと対応付けた前記複数の色それぞれを強調するための照明条件を記憶する照明条件データベースを参照して、前記指定された所望の位置における撮影画像の第１の色を強調するための照明条件を決定するステップと、
前記決定された照明条件に基づいて前記照明装置に前記展示物を照明させるステップとを備える照明制御方法。
【請求項２】
請求項１に記載の照明制御方法であって、さらに、
前記所望の位置と異なる所望の位置の指定を受け付けるステップと、
複数の色と対応付けた複数の補正条件を記憶する補正条件データベースを参照して、前記指定された異なる所望の位置における撮影画像の第２の色に対応する補正条件を決定するステップと、
前記決定された補正条件に基づいて前記決定された照明条件を補正するステップとを備える照明制御方法。
【請求項３】
請求項１に記載の照明制御方法であって、さらに、
前記決定された照明条件に応じた光で前記展示物を照明した後に、前記展示スペースにおいて、前記照明装置と通信可能な携帯通信端末を用いて前記照明装置からの光を調整するステップを備える照明制御方法。
【請求項４】
請求項１に記載の照明制御方法であって、さらに、
複数の照明装置の中からいずれかを選択するステップを備え、
前記照明させるステップは、前記選択された照明装置に前記展示物を照明させる照明制御方法。
【請求項５】
請求項１に記載の照明制御方法であって、さらに、
前記展示物のイメージに適した時期の選択を受け付けるステップと、
複数の時期と対応付けた複数の補正条件を記憶する補正条件データベースを参照して、前記選択された時期に対応する補正条件を決定するステップと、
前記決定された補正条件に基づいて前記決定された照明条件を補正するステップとを備える照明制御方法。
【請求項６】
請求項１に記載の照明制御方法であって、さらに、
複数の店舗にそれぞれ設置された複数の照明装置に前記決定された照明条件を通知するステップを備える照明制御方法。
【請求項７】
展示スペースで展示される展示物を照明する照明装置と、
前記照明装置と通信可能な携帯通信端末と、
前記照明装置及び前記携帯通信端末と通信可能なサーバとを備え、
前記携帯通信端末は、
前記展示物を撮影するカメラと、
前記カメラにより撮影された展示物の撮影画像を表示するディスプレイと、
前記表示された撮影画像における前記展示物の所望の位置の指定を受け付ける位置指定部とを備え、
前記サーバは、
複数の色のそれぞれと対応付けた前記複数の色それぞれを強調するための照明条件を記憶する照明条件データベースを参照して、前記指定された所望の位置における前記撮影画像の色を強調するための照明条件を決定する照明条件決定部と、
前記照明条件決定部により決定された照明条件を前記照明装置に送信する通信部とを備え、
前記照明装置は、
光源と、
前記通信部から送信された照明条件で発光するように前記光源を制御する制御部とを備える照明システム。
【発明の詳細な説明】
【技術分野】
【０００１】
本発明は、照明制御方法に関し、さらに詳しくは、展示物を照明する照明装置を制御するための照明制御方法に関する。
【背景技術】
【０００２】
ＬＥＤ（Light Emitting Diode）照明装置は、蛍光灯を用いた照明装置と異なり、照明条件を容易に変更することができる。例えば、ＬＥＤ照明装置が、赤色ＬＥＤと、緑色ＬＥＤと、青色ＬＥＤとを備えている場合、これらのＬＥＤの出力を制御することにより、ＬＥＤ照明装置の光の色を様々な色に変化させることができる。
【０００３】
店舗では、提供する商品やサービスの内容に応じて、店舗内の照明を調整することが従来から行われている。しかし、商品などの展示物を照明する照明装置の照明条件を決定する際に、店員が、展示物を照明するための適切な照明条件を決定する。このとき、店員は、様々な照明条件を試さなければならず、照明条件を決定する作業が店員の負担となっていた。
【０００４】
特許文献１は、飲食店において、客が着いているテーブルの照明を、注文されたメニューに応じて変更する技術を開示している。特許文献１に係る発明において、ハンディターミナルは、店員の操作に応じて、テーブルの番号と、注文された料理のメニューコードを入力する。中継機は、ハンディターミナルに入力されたメニューコード対応する調光データをメニューファイルから読み出す。ハンディターミナルに入力されたテーブル番号のテーブルの上に設置された照明器具は、読み出された調光データに基づいて出力を調整する。注文されたメニューが複数である場合、調光データは、メニューに予め設定された優先順位に基づいて選択される。
【０００５】
特許文献１に係る発明では、メニューに記載された全ての料理は、客により注文される可能性があるため、メニューに記載された全ての料理に対応する照明条件を事前に設定しておかなければならない。しかし、展示物の照明条件を事前に決定することが適切でない場合がある。例えば、衣料品店では、販売される全ての商品を展示して照明することは、一般的ではないため、全ての商品の照明条件を事前に決定しておくことは効率的でない。
【０００６】
また、衣料品店において、複数の衣料品を着ているマネキンを照明する場合、マネキンの適切な照明条件は、複数の衣料品によるコーディネートによって決定される。特許文献１に係る発明のように、商品の優先順位を事前に設定し、設定された優先順位に従って照明条件を決定した場合、決定された照明条件がマネキンの照明条件として適切であるとは限らない。
【０００７】
従って、展示物を照明する照明装置の照明条件を事後的に決定する場合であっても、照明条件を容易に決定することができる技術が望まれていた。
【先行技術文献】
【特許文献】
【０００８】
【特許文献１】特開平７−２４０２８１
【発明の概要】
【発明が解決しようとする課題】
【０００９】
本発明の目的は、展示物を照明する照明装置の照明条件を容易に決定することができる照明制御方法を提供することである。
【課題を解決するための手段及び発明の効果】
【００１０】
本発明による照明制御方法は、展示スペースで展示される展示物を照明する照明装置を制御する。本発明による照明制御方法は、展示物を撮影して展示物の撮影画像を表示するステップと、表示された撮影画像における展示物の所望の位置の指定を受け付けるステップと、複数の色と対応付けた複数の照明条件を記憶する照明条件データベースを参照して、指定された所望の位置における撮影画像の第１の色に対応する照明条件を決定するステップと、決定された照明条件に基づいて照明装置に展示物を照明させるステップとを備える。
【００１１】
本発明によれば、展示物が撮影された撮影画像において第１の色の位置を指定することにより、第１の色に適した照明条件で照明装置に展示物を照明させることができる。従って、展示物を照明する照明装置の照明条件を容易に決定することができる。
【００１２】
好ましくは、本発明に係る照明制御方法は、さらに、所望の位置と異なる所望の位置の指定を受け付けるステップと、複数の色と対応付けた複数の補正条件を記憶する補正条件データベースを参照して、指定された異なる所望の位置における撮影画像の第２の色に対応する補正条件を決定するステップと、決定された補正条件に基づいて決定された照明条件を補正するステップとを備える。
【００１３】
第１の色及び第２の色の両者に適した照明条件を容易に決定することができる。
【００１４】
好ましくは、本発明に係る照明制御方法は、さらに、決定された照明条件に応じた光で展示物を照明した後に、展示スペースにおいて、照明装置と通信可能な携帯通信端末を用いて照明装置からの光を調整するステップを備える。
【００１５】
照明装置により照明された展示物を確認した上で照明条件を調整することができるため、展示スペースの状況に適した照明条件で照明装置に展示物を照明させることができる。
【００１６】
好ましくは、本発明による照明制御方法は、複数の照明装置の中からいずれかを選択するステップを備える。照明させるステップは、選択された照明装置に展示物を照明させる。
【００１７】
これにより、照明条件を決定する照明装置を容易に選択することができる。
【００１８】
好ましくは、本発明に係る照明制御方法は、さらに、展示物のイメージに適した時期の選択を受け付けるステップと、複数の時期と対応付けた複数の補正条件を記憶する補正条件データベースを参照して、選択された時期に対応する補正条件を決定するステップと、決定された補正条件に基づいて、決定された照明条件を補正するステップとを備える。
【００１９】
展示物が展示される時期に合わせた適切な照明条件で照明装置に展示物を照明させることができる。
【００２０】
好ましくは、本発明による照明制御方法は、さらに、複数の店舗にそれぞれ設置された複数の照明装置に決定された照明条件を通知するステップを備える。
【００２１】
決定された照明条件を他の複数の照明装置の照明条件として利用することができるため、複数の照明装置の照明条件の設定が容易となる。
【００２２】
本発明による照明制御システムは、照明装置と、携帯通信端末と、サーバとを備える。照明装置は、展示スペースで展示される展示物を照明する。携帯通信端末は、照明装置と通信可能である。サーバは、照明装置及び携帯通信端末と通信可能である。携帯通信端末は、カメラと、ディスプレイと、位置指定部とを備える。カメラは、展示物を撮影する。ディスプレイは、カメラにより撮影された展示物の撮影画像を表示する。位置指定部は、表示された撮影画像における展示物の所望の位置の指定を受け付ける。サーバは、照明条件決定部と、通信部とを備える。照明条件決定部は、複数の色と対応付けた複数の照明条件を記憶する照明条件データベースを参照して、指定された所望の位置における撮影画像の色に対応する照明条件を決定する。通信部は、照明条件決定部により決定された照明条件を照明装置に送信する。照明装置は、光源と、制御部とを備える。制御部は、通信部から送信された照明条件で発光するように光源を制御する。
【００２３】
本発明による照明制御システムは、本発明による照明制御方法を用いて照明装置を制御することができる。
【図面の簡単な説明】
【００２４】
【図１】本発明の実施の形態に係る照明制御システムの構成を示す機能ブロック図である。
【図２】図１に示す携帯通信端末の構成を示す機能ブロック図である。
【図３】図１に示すサーバの構成を示す機能ブロック図である。
【図４】図１に示す照明装置の構成を示す機能ブロック図である。
【図５】図１に示す照明制御システムの動作を示すシーケンス図である。
【図６】図５に示す色取得処理のフローチャートである。
【図７】図３に示す照明装置データベースの一例を示す図である。
【図８】図２に示すタッチパネルに表示される装置選択画面の一例を示す図である。
【図９】図２に示すタッチパネルに表示される撮影画面の一例を示す図である。
【図１０】図２に示すタッチパネルに表示されるメインカラー指定画面の一例を示す図である。
【図１１】図２に示す色識別データベースの一例を示す図である。
【図１２】図２に示すタッチパネルに表示されるサブカラー指定画面の一例を示す図である。
【図１３】図２に示すタッチパネルに表示される季節選択画面の一例を示す図である。
【図１４】図３に示す照明制御データベースの一例を示す図である。
【図１５】図５に示す照明条件決定処理のフローチャートである。
【図１６】図２に示すタッチパネルに表示される確認画面の一例を示す図である。
【図１７】図２に示すタッチパネルに表示される調整値入力画面の一例を示す図である。
【図１８】図５に示す指示完了通知に含まれるデータの一例を示す図である。
【図１９】図１に示す照明装置に照明条件の変更を一斉に指示する場合における照明制御システムの動作を示すシーケンス図である。
【発明を実施するための形態】
【００２５】
以下、図面を参照し、本発明の実施の形態を詳しく説明する。図中同一又は相当部分には同一符号を付してその説明は繰り返さない。
【００２６】
｛１．照明制御システムの構成｝
｛１．１．全体構成｝
図１は、本発明の実施の形態に係る照明制御システム１００の構成を示す機能ブロック図である。図１を参照して、照明制御システム１００は、複数の照明装置と、無線ルータ１０Ａ〜１０Ｃと、携帯通信端末２０Ａ〜２０Ｃと、インターネット６と、サーバ４０とを備える。
【００２７】
店舗Ａ〜Ｃは、衣料品を販売する店舗である。店舗Ａは、店舗Ｂ及びＣを運営する企業の本社に設けられたショールームの役割を兼ねている。店舗Ｂ及びＣは、ショッピングモール内の店舗、道路に面した店舗などである。
【００２８】
店舗Ａ〜Ｃには、それぞれＬＡＮ（Local Area Network）が構築される。店舗Ａ内のＬＡＮは、無線ルータ１０Ａと、携帯通信端末２０Ａと、照明装置Ａ−１〜Ａ−ｋとにより構成される。ｋは、１以上の自然数である。
【００２９】
店舗Ａにおいて、無線ルータ１０Ａは、インターネット６と店舗Ａ内のＬＡＮとを中継する。無線ルータ１０Ａは、携帯通信端末２０Ａ及び照明装置Ａ−１〜Ａ−ｋと無線通信する。
【００３０】
照明装置Ａ−１〜Ａ−ｋは、店舗Ａ内に設置される。照明装置Ａ−１〜Ａ−ｋは、店舗Ａの展示スペースに設置された展示物を照明する。展示物は、例えば、衣料品を着ているマネキンや、展示用の棚に陳列された衣料品や小物等である。
【００３１】
携帯通信端末２０Ａは、照明装置Ａ−１〜Ａ−ｋのうち、いずれか１つの照明装置を店舗Ａの店員に選択させる。携帯通信端末２０Ａは、選択された照明装置により照明される展示物を撮影して撮影画像を表示し、表示された撮影画像における展示物の所望の位置の指定を受け付ける。携帯通信端末２０Ａは、指定された所望の位置における撮影画像の色に対応するカラーコードを取得する。携帯通信端末２０Ａは、取得したカラーコードをサーバ４０に送信して、選択された照明装置の照明条件の決定をサーバ４０に要求する。
【００３２】
サーバ４０は、携帯通信端末２０Ａから照明条件の決定を要求された場合、携帯通信端末２０Ａから送信されたカラーコードに基づいて、選択された照明装置の照明条件を決定する。サーバ４０は、決定した照明条件を含む照明制御データを選択された照明装置に送信することにより、決定された照明条件に基づいて、選択された照明装置に店舗Ａ内の展示物を照明させる。
【００３３】
店舗Ｂ内のＬＡＮは、無線ルータ１０Ｂと、携帯通信端末２０Ｂと、照明装置Ｂ−１〜Ｂ−ｍとにより構成される。店舗Ｃ内のＬＡＮは、無線ルータ１０Ｃと、携帯通信端末２０Ｃと、照明装置Ｃ−１〜Ｃ−ｎとにより構成される。ｍ及びｎは、１以上の自然数である。
【００３４】
携帯通信端末２０Ｂ及び２０Ｃは、店舗Ｂ及びＣにおいて、携帯通信端末２０Ａと同様に使用される。無線ルータ１０Ｂ及び１０Ｃは、店舗Ｂ及びＣにおいて、無線ルータ１０Ａと同様に使用される。照明装置Ｂ−１〜Ｂ−ｍ及びＣ−１〜Ｃ−ｎは、店舗Ｂ及びＣにおいて、照明装置Ａ−１〜Ａ−ｋと同様に使用される。
【００３５】
｛１．２．携帯通信端末２０Ａの構成｝
図２は、携帯通信端末２０Ａの構成を示す機能ブロック図である。携帯通信端末２０Ｂ及び２０Ｃの構成は、携帯通信端末２０Ａの構成と同じであるため、その説明を省略する。図２を参照して、携帯通信端末２０Ａは、ＣＰＵ２１（Central Processing Unit）と、ＲＡＭ（Random Access Memory）２２と、タッチパネル２３と、カメラ２４と、フラッシュメモリ２５と、無線通信インタフェース２６とを備える。
【００３６】
ＣＰＵ２１は、フラッシュメモリ２５に格納された各種プログラムをＲＡＭ２２にロードし、ロードされたプログラムを実行して携帯通信端末２０Ａを制御する。ＲＡＭ２２は、携帯通信端末２０Ａのメインメモリである。
【００３７】
タッチパネル２３は、ＣＰＵ２１によるプログラムの実行結果などを表示する。タッチパネル２３は、ユーザがタッチした位置を操作情報として出力する。カメラ２４は、店舗Ａの店員の操作に応じて被写体を撮影する。
【００３８】
フラッシュメモリ２５は、不揮発性の半導体メモリであり、色取得プログラム２７と、撮影画像２８と、色識別データベース５０とを備える。色取得プログラム２７は、撮影画像２８における展示物の所望の位置の指定の受け付けと、指定された所望の位置における撮影画像２８の色の取得とを携帯通信端末２０Ａに実行させるためのプログラムである。撮影画像２８は、カメラ２４が展示物を撮影することにより生成される。色識別データベース５０は、複数の色の名称に対応付けた複数のカラーコード及び複数のＲＧＢ（Red, Green, Blue）値を記憶する。
【００３９】
無線通信インタフェース２６は、例えば、IEEE802.11に準拠しており、無線ルータ１０Ａを介してサーバ４０及び照明装置Ａ−１〜Ａ−ｋと通信する。
【００４０】
｛１．３．サーバ４０の構成｝
図３は、サーバ４０の構成を示す機能ブロック図である。図３を参照して、サーバ４０は、ＣＰＵ４１と、ＲＡＭ４２と、ディスプレイ４３と、ＨＤＤ（hard disk drive）４４と、通信インタフェース４５とを備える。
【００４１】
ＣＰＵ４１は、ＨＤＤ４４に格納された各種プログラムをＲＡＭ４２にロードし、ロードされたプログラムを実行してサーバ４０を制御する。ＲＡＭ４２は、サーバ４０のメインメモリである。ディスプレイ４３は、ＣＰＵ４１によるプログラムの実行結果などを表示する。
【００４２】
ＨＤＤ４４は、サーバプログラム４６と、照明制御データベース６０と、照明装置データベース７０と、フロアデータ４７Ａ〜４７Ｃとを格納する。サーバプログラム４６は、照明装置Ａ−１〜Ａ−ｋ，Ｂ−１〜Ｂ−ｍ，Ｃ−１〜Ｃ−ｎの照明条件を決定するためのプログラムである。照明条件の決定の際に、照明制御データベース６０が参照される。フロアデータ４７Ａ〜４７Ｃは、店舗Ａ〜Ｃの間取り図である。照明装置データベース７０は、照明装置が設置される店舗や、照明装置の識別情報（ＩＰアドレス）など、照明装置に関する情報を記憶する。フロアデータ４７Ａ〜４７Ｃ、照明制御データベース６０及び照明装置データベース７０の詳細については、後述する。
【００４３】
通信インタフェース４５は、インターネット６を介して、店舗Ａ〜Ｃに設置された携帯通信端末２０Ａ〜２０Ｃ及び照明装置Ａ−１〜Ａ−ｋ，Ｂ−１〜Ｂ−ｍ，Ｃ−１〜Ｃ−ｎと通信する。
【００４４】
｛１．４．照明装置Ａ−１の構成｝
図４は、照明装置Ａ−１の構成を示す機能ブロック図である。図１に示す照明装置Ａ−１以外の照明装置の構成は、照明装置Ａ−１の構成と同じであるため、その説明を省略する。図４を参照して、照明装置Ａ−１は、ＣＰＵ３１と、ＲＡＭ３２と、フラッシュメモリ３３と、光源３４と、無線通信インタフェース３５とを備える。
【００４５】
ＣＰＵ３１は、フラッシュメモリ３３に格納された光源制御プログラム３８をＲＡＭ３２にロードし、ロードされたプログラムを実行して光源３４を制御する。ＲＡＭ３２は、照明装置Ａ−１のメインメモリである。フラッシュメモリ３３は、照明制御データ３６と、調整量データ３７と、光源制御プログラム３８を格納する。照明制御データ３６は、サーバ４０から送信されたデータであり、照明装置Ａ−１の照明条件を記録したデータである。調整量データ３７は、携帯通信端末２０Ａから送信されるデータであり、照明装置Ａ−１の照明条件の調整量を記録したデータである。光源制御プログラム３８は、照明制御データ３６または調整量データ３７に基づいて光源３４を制御するためのプログラムである。
【００４６】
光源３４は、図示していないが、白色ＬＥＤと、赤色ＬＥＤと、緑色ＬＥＤと、青色ＬＥＤとを備える。照明の明るさは、白色ＬＥＤにより変更される。赤色ＬＥＤと、緑色ＬＥＤと、青色ＬＥＤとは、照明の色を表現するために用いられる。ＣＰＵ３１は、光源制御プログラム３８を実行して、照明制御データ３６又は調整量データ３７に基づく照明条件で光源３４が発光するように各ＬＥＤの出力を制御する。
【００４７】
無線通信インタフェース３５は、例えば、IEEE802.11に準拠しており、無線ルータ１０Ａを介してサーバ４０及び携帯通信端末２０Ａと通信する。
【００４８】
｛２．照明制御システム１００の動作｝
以下、店舗Ａ内の照明装置Ａ−１を制御する場合を例にして、照明制御システム１００の動作を説明する。照明装置Ａ−１により照明される展示物は、トップスおよびボトムスを着ているマネキンである。
【００４９】
｛２．１．動作概略｝
図５は、照明装置Ａ−１の照明条件を制御する場合における照明制御システム１００の動作を示すシーケンス図である。
【００５０】
図５を参照して、携帯通信端末２０Ａは、色取得プログラム２７を起動し、色取得処理（ステップＳ１）を実行する。色取得処理（ステップＳ１）において、携帯通信端末２０Ａは、店舗Ａの店員の操作に応じて、照明装置Ａ−１を選択し、選択された照明装置Ａ−１により照明されるマネキンを撮影して撮影画像２８を生成する。携帯通信端末２０Ａは、撮影画像２８において店舗Ａの店員により指定された位置に基づいて、マネキンのメインカラーのカラーコード及びサブカラーのカラーコードを取得する。メインカラー及びサブカラーの詳細については、後述する。
【００５１】
携帯通信端末２０Ａは、色取得処理（ステップＳ１）で選択された照明装置Ａ−１の照明条件の変更を要求する変更要求をサーバ４０に送信する（ステップＳ２）。本実施の形態において、変更要求は、ステップＳ１で取得されたメインカラーのカラーコードと、サブカラーのカラーコードと、選択された照明装置Ａ−１を特定するデータとを含む。
【００５２】
サーバ４０は、変更要求を受信した場合、照明条件決定処理を実行する（ステップＳ３）。具体的には、サーバ４０は、照明制御データベース６０を参照して、受信した変更要求に含まれるメインカラーのカラーコードに対応する照明条件を決定する。サーバ４０は、照明制御データベース６０を参照して、変更要求に含まれるサブカラーのカラーコードに対応する補正条件を決定する。サーバ４０は、決定した補正条件を用いて、決定した照明条件を補正する。
【００５３】
サーバ４０は、補正された照明条件を記録した照明制御データ３６を、照明装置Ａ−１に送信する（ステップＳ４）。本実施の形態において、照明条件は、照明色（照明装置が発する光の色）であり、ＲＧＢ値によって定義される。
【００５４】
照明装置Ａ−１は、照明制御データ３６を受信した場合、受信した照明制御データ３６に記録された照明条件（ＲＧＢ値）に基づいて、光源３４の各ＬＥＤの出力を制御する（ステップＳ５）。この結果、マネキンは、マネキンのメインカラー及びサブカラーのカラーコードに基づいて決定された照明条件で照明される。サーバ４０は、照明条件の変更を照明装置Ａ−１に指示したことを示す指示完了通知を、携帯通信端末２０Ａに通知する（ステップＳ６）。
【００５５】
また、店舗Ａの店員は、照明装置Ａ−１の照明色を調整することができる（ステップＳ７〜Ｓ９）。携帯通信端末２０Ａは、照明装置Ａ−１の照明色についての調整値の入力を受け付け（ステップＳ７）、受け付けた調整値に基づいて調整量データ３７を生成する。携帯通信端末２０Ａは、生成した調整量データ３７を照明装置Ａ−１に送信する（ステップＳ８）。照明装置Ａ−１は、受信した調整量データ３７に基づいて、照明色を調整する（ステップＳ９）。
【００５６】
ステップＳ９の後に、携帯通信端末２０Ａは、調整実行通知をサーバ４０に送信して、照明装置Ａ−１の照明条件を調整したことを通知する（ステップＳ１０）。調整実行通知は、調整量データ３７を含む。サーバ４０は、受信した調整実行通知に含まれる調整量データ３７に基づいて、照明装置データベース７０に記憶されている照明装置Ａ−１の照明条件を更新する（ステップＳ１１）。
【００５７】
図５に示していないが、ステップＳ１１の後に、照明制御システム１００は、照明装置Ａ−１〜Ａ−ｋ、Ｂ−１〜Ｂ−ｍ及びＣ−１〜Ｃ−ｎのうち、一斉変更の対象として事前に登録された照明装置の照明条件を一斉に変更する。この処理については、後述する。
【００５８】
｛２．２．色取得処理（ステップＳ１）｝
｛２．２．１．照明装置の選択｝
図６は、図５に示す色取得処理（ステップＳ１）のフローチャートである。図６を参照して、携帯通信端末２０Ａは、店舗Ａの間取り図であるフロアデータ４７Ａをサーバ４０から取得する（ステップＳ１０１）。なお、図５には、ステップＳ１０１の処理を示していない。例えば、携帯通信端末２０Ａは、店舗Ａを特定できるデータ（店舗Ａの名称など）をサーバ４０に送信して、フロアデータ４７Ａの送信を要求する。
【００５９】
サーバ４０は、フロアデータ４７Ａの送信を要求された場合、店舗Ａ内に設置された照明装置Ａ−１〜Ａ−ｋのメインＩＤを照明装置データベース７０から読み出す。サーバ４０は、読み出した照明装置Ａ−１〜Ａ−ｋのメインＩＤとともに、フロアデータ４７Ａを携帯通信端末２０Ａに送信する。照明装置Ａ−１〜Ａ−ｋのメインＩＤは、変更要求（ステップＳ２）を送信する際に用いられる。
【００６０】
図７は、図３に示す照明装置データベース７０の一例を示す図である。図７を参照して、照明装置データベース７０は、店舗Ａ〜Ｃに設置された照明装置に関するデータを記憶する。
【００６１】
照明装置データベース７０において、メインＩＤは、照明装置データベース７０の主キーであり、照明制御システム１００で制御される全ての照明装置に一意に割り当てられる識別番号である。店舗名は、各照明装置が設置されている店舗の名称である。照明ＩＤは、店舗ごとに設定される照明装置の識別番号である。照明ＩＤは、同一の店舗で重複しないように、各照明装置の各々に割り当てられる。従って、同一の照明ＩＤが、複数の照明装置に割り当てられることがある。
【００６２】
ＩＰ（Internet Protocol）アドレスは、各照明装置に割り当てられるＩＰアドレスを示す。本実施の形態では、ＩＰアドレスは、ＩＰｖ６に準拠している。図７では、各照明装置に割り当てられたＩＰアドレスの一部分の表示を省略している。
【００６３】
設置環境は、照明装置により照明される展示物が設置された環境を示す。「路面」は、展示物が道路に面したショーウィンドウなどに設置されていることを示す。「屋内」は、展示物が店舗内の売り場や、ショッピングモール内のショーウィンドウに設置されていることを示す。設置場所は、各店舗における照明装置の具体的な位置を示す。例えば、「路面ウィンドウ」は、道路に面したショーウィンドウを示す。「婦人１」及び「婦人２」は、照明装置が店舗内の婦人服売り場に設置されていることを示す。「紳士１」は、照明装置が店舗内の紳士服売り場に設置されていることを示す。
【００６４】
照明条件は、現時点における各照明装置の照明条件であり、各照明装置に設定されている照明色（ＲＧＢ値）である。一斉変更フラグは、照明条件の一斉変更の対象となるか否かを示す。一斉変更フラグにおいて、「Ｔｒｕｅ」は、一斉変更の対象であることを示し、「Ｆａｌｓｅ」は、一斉変更の対象でないことを示す。
【００６５】
再び、図６を参照して、携帯通信端末２０Ａは、サーバ４０から取得したフロアデータ４７Ａをタッチパネル２３に表示して、店舗Ａに設置された照明装置Ａ−１〜Ａ−ｋのうちいずれか１つの選択を受け付ける（ステップＳ１０２）。
【００６６】
図８は、ステップＳ１０２の実行時にタッチパネル２３に表示される装置選択画面の一例を示す図である。図８を参照して、装置選択画面は、フロアデータ４７Ａを含む。フロアデータ４７Ａにおいて、ショーウィンドウ４７１及び４７２と、売り場４７３と、バックヤード４７４とが描かれている。また、フロアデータ４７Ａにおいて、三角印は、照明装置Ａ−１〜Ａ−５が配置された位置を示す。つまり、本実施の形態では、ｋ＝５であり、展示物を照明するための照明装置が、店舗Ａに５つ設置されている。また、フロアデータ４７Ａは、２次元の座標系を有しており、照明装置Ａ−１〜Ａ−５の位置を２次元座標によって特定している。
【００６７】
店舗Ａの店員は、タッチパネル２３に表示された装置選択画面上で、ショーウィンドウ４７１に設置されている照明装置Ａ−１をタップする。携帯通信端末２０Ａは、タップされたタッチパネル２３上の位置を検出し、検出した位置が照明装置Ａ−１に対応すると判断する。これにより、携帯通信端末２０Ａは、照明装置Ａ−１の選択を受け付ける。
【００６８】
｛２．２．２．メインカラーの指定｝
図６を参照して、携帯通信端末２０Ａは、照明装置Ａ−１により照明されるショーウィンドウ４７１内のマネキンを撮影して、マネキンが撮影された撮影画像２８をタッチパネル２３に表示する（ステップＳ１０３）。
【００６９】
図９は、ステップＳ１０３の実行時にタッチパネル２３に表示される撮影画面の一例を示す図である。図９を参照して、携帯通信端末２０Ａは、カメラ２４が捉えた映像を撮影画面のファインダ領域２３１に表示して、マネキン（ディスプレイ）の撮影を店員に促す。撮影ボタン２３２がタップされた場合、カメラ２４は、ショーウィンドウ４７１内のマネキンを撮影して、マネキンが撮影された撮影画像２８を生成する。
【００７０】
図１０は、撮影画像２８の生成後にタッチパネル２３に表示されるメインカラー指定画面の一例を示す図である。図１０を参照して、メインカラー指定画面は、撮影画像２８と、カーソル２３３と、決定ボタン２３４とを含む。カーソル２３３は、撮影画像２８におけるメインカラーの位置の指定に用いられる。カーソル２３３のデフォルトの位置は、撮影画像２８の中心である。決定ボタン２３４は、カーソル２３３の中心をメインカラーの位置として店舗Ａの店員が決定するために用いられる。
【００７１】
図６を参照して、携帯通信端末２０Ａは、メインカラー指定画面に表示された撮影画像２８におけるマネキンのメインカラーの位置の指定を受け付ける（ステップＳ１０４）。ここで、メインカラーについて説明する。メインカラーは、ショーウィンドウ４７１内のマネキンが着ている服の中で、照明装置Ａ−１による照明により一番映える色として選択される色である。すなわち、メインカラーは、展示物の色の中で一番強調すべき色として選択される色であり、展示物の中で大半の領域を占める色であるとは限らない。
【００７２】
図１０を参照して、店舗Ａの店員は、ショーウィンドウ４７１内のマネキンのトップス（ブラウス）をメインカラーとして指定する場合、撮影画像２８におけるトップスにタップする。携帯通信端末２０Ａは、カーソル２３３の中心をタップされた位置に移動させる。店舗Ａの店員は、移動後のカーソル２３３の中心の色がメインカラーとして適切であると判断した場合、決定ボタン２３４をタップする。携帯通信端末２０Ａは、決定ボタン２３４がタップされた時点におけるカーソル２３３の中心の位置が、メインカラーの位置として指定されたと判断する。これにより、メインカラーの位置の指定の受け付けが完了する。
【００７３】
図６を参照して、携帯通信端末２０Ａは、指定されたメインカラーの位置に対応するカラーコードを取得する（ステップＳ１０５）。具体的には、携帯通信端末２０Ａは、ステップＳ１０４で指定された位置に対応する撮影画像２８の画素を特定する。以下、特定された画素を、「メインカラー画素」と記載する。携帯通信端末２０Ａは、メインカラー画素のＲＧＢ値を、撮影画像２８から取得する。携帯通信端末２０Ａは、色識別データベース５０を参照して、メインカラー画素のＲＧＢ値に対応するカラーコードを取得する。
【００７４】
図１１は、図２に示す色識別データベース５０の一例を示す図である。図１１を参照して、色識別データベース５０は、複数の色のカラーコード及び複数の色のＲＧＢ値を、複数の色の名称に対応付けて記憶している。携帯通信端末２０Ａは、色識別データベース５０に記憶されたＲＧＢ値のうち、メインカラー画素のＲＧＢ値に最も近いＲＧＢ値を特定する。携帯通信端末２０Ａは、色識別データベース５０から、特定されたＲＧＢ値に対応するカラーコードをメインカラーのカラーコードとして取得し、特定されたＲＧＢ値に対応する名称をメインカラーの名称として取得する。
【００７５】
例えば、メインカラー画素のＲＧＢ値が「２５５，１２６，８０」であった場合、携帯通信端末２０Ａは、色識別データベース５０から、メインカラー画素の画素値に最も近いＲＧＢ値として、ＲＧＢ値「２５５，１２７，８０」を特定する。携帯通信端末２０Ａは、特定したＲＧＢ値「２５５，１２７，８０」に基づいて、メインカラーのカラーコード「＃ＦＦ７Ｆ５０」と、メインカラーの名称「ｃｏｒａｌ」とを取得する。
【００７６】
携帯通信端末２０Ａは、取得したメインカラーのカラーコードが適切であるか否かを確認してもよい。トップスが細かい模様によりデザインされている場合、携帯通信端末２０Ａは、店舗Ａの店員が希望するメインカラーのカラーコードを取得できないことがある。この場合、携帯通信端末２０Ａは、取得したメインカラーの名称をメインカラー指定画面に表示して、メインカラーの位置の指定をやり直すか否かを確認すればよい。後述するサブカラーのカラーコードを取得する場合（ステップＳ１０７）も同様である。
【００７７】
｛２．２．３．サブカラーの選択｝
図６を参照して、携帯通信端末２０Ａは、撮影画像２８におけるマネキンのサブカラーの位置の指定を受け付ける（ステップＳ１０６）。サブカラーは、ショーウィンドウ４７１内のマネキンが着ている服の色の中で、メインカラーの次に映える色として選択される色である。つまり、サブカラーは、展示物の色の中でメインカラーの次に強調すべき色として選択される色である。メインカラーと同様に、サブカラーは、展示物における色の領域の割合に応じて決定されない。
【００７８】
図１２は、ステップＳ１０６の実行時にタッチパネル２３に表示されるサブカラー指定画面の一例を示す図である。図１２を参照して、サブカラー指定画面は、撮影画像２８と、カーソル２３５と、決定ボタン２３６とを含む。店舗Ａの店員は、ショーウィンドウ４７１内のマネキンが着ているボトムスの色をサブカラーに指定する場合、撮影画像２８におけるボトムスをタップする。携帯通信端末２０Ａは、カーソル２３５の中心位置をタップされた位置に移動させる。店舗Ａの店員は、カーソル２３５の中心の色がサブカラーとして適切であると判断した場合、決定ボタン２３６をタップする。決定ボタン２３６がタップされた場合、携帯通信端末２０Ａは、タップされた時点におけるカーソル２３５の中心位置がサブカラーの位置として指定されたと判断する。
【００７９】
携帯通信端末２０Ａは、指定されたサブカラーの位置に対応するカラーコードを取得する（ステップＳ１０７）。サブカラーの位置に対応するカラーコードを取得する手順は、ステップＳ１０５と同様の手順であるため、ステップＳ１０７の詳細な説明を省略する。
【００８０】
｛２．２．４．季節の選択｝
図６を参照して、携帯通信端末２０Ａは、季節の選択を受け付ける（ステップＳ１０８）。季節の選択は、照明条件を展示物の季節感に合わせるために行われる。展示物の季節感が実際の季節と異なることがある。例えば、衣料品を販売する店舗では、実際の季節が夏である場合であっても、秋物の衣料品をマネキンに着せることがある。この場合、マネキンが、実際の季節（夏）に合う色の光で照明されるよりも、マネキンが着ている秋物の衣料品に合う色の光で照明されることが望ましい。このような観点から、店舗Ａの店員による季節の選択が行われる。
【００８１】
図１３は、ステップＳ１０８の実行時にタッチパネル２３に表示される季節選択画面の一例を示す図である。図１３を参照して、季節選択画面は、選択ボタン２３７及び２３８を含む。選択ボタン２３７は、季節「春夏」を選択するためのボタンであり、選択ボタン２３８は、季節「秋冬」を選択するためのボタンである。例えば、店舗Ａの店員は、ショーウィンドウ４７１のマネキンが秋物の衣料品を着ている場合、選択ボタン２３８をタップする。この場合、携帯通信端末２０Ａは、季節「秋冬」が記録された季節データを作成する。季節データは、変更要求の送信（ステップＳ２）の際に用いられる。
【００８２】
｛２．３．変更要求の送信（ステップＳ２）｝
図５を参照して、色取得処理（ステップＳ１）が終了した後に、携帯通信端末２０Ａは、変更要求を生成して送信する（ステップＳ２）。変更要求は、ステップＳ１０２で選択された照明装置Ａ−１のメインＩＤと、ステップＳ１０５で取得されたメインカラーのカラーコードと、ステップＳ１０７で取得されたサブカラーのカラーコードと、ステップＳ１０８で選択された季節に対応する季節データとを含む。携帯通信端末２０Ａは、変更要求を送信した後に、サーバ４０が照明装置Ａ−１に照明条件の変更を指示したことを示す指示完了通知をサーバ４０から受信するまで（ステップＳ６）、待機する。
【００８３】
｛２．４．照明条件決定処理（ステップＳ３）｝
サーバ４０は、照明条件決定処理（ステップＳ３）を実行する際に、照明制御データベース６０を参照する。図１４は、図３に示す照明制御データベース６０の一例を示す図である。図１４を参照して、照明制御データベース６０は、照明条件データベース６１と、補正条件データベース６２〜６４とを含む。照明制御データベース６０において、識別番号は、照明制御データベース６０の各レコードを一意に特定するための番号である。照明制御データベース６０に含まれる各データベースの詳細については、後述する。
【００８４】
図１５は、図５に示す照明条件決定処理（ステップＳ３）のフローチャートである。サーバ４０は、携帯通信端末２０Ａから変更要求を受信した場合、図１５に示す処理を開始する。受信した変更要求が、照明装置Ａ−１のメインＩＤと、メインカラーのカラーコード「＃ＦＦ７Ｆ５０」と、サブカラーのカラーコード「＃ＦＦＦＦＦＦ」と、季節「秋冬」が記録された季節データとを含む場合を例にして、照明条件決定処理（ステップＳ３）を詳しく説明する。
【００８５】
｛２．４．１．照明条件の決定｝
図１４及び図１５を参照して、サーバ４０は、照明条件データベース６１を参照して、受信した変更要求に含まれるメインカラーのカラーコードに対応する照明条件を決定する（ステップＳ３０１）。照明条件データベース６１は、複数のカラーコードに対応する複数の照明条件を記憶している。照明条件データベース６１に記憶される照明条件は、照明色のＲＧＢ値である。
【００８６】
なお、照明条件データベース６１において、複数のレコードがメインカラー「＃ＦＦ７Ｆ５０」に対応している。この理由は、照明条件データベース６１と、補正条件データベース６２〜６４とが１つのデータベースとして管理されているためである。
【００８７】
サーバ４０は、受信した変更要求からメインカラーのカラーコード「＃ＦＦ７Ｆ５０」を取得する。サーバ４０は、取得したメインカラーのカラーコード「＃ＦＦ７Ｆ５０」を用いて照明制御データベース６０を検索し、ＲＧＢ値「２２０，２０，６０」を取得する。サーバ４０は、取得したＲＧＢ値「２２０，２０，６０」を照明装置Ａ−１の照明条件として決定する。
【００８８】
｛２．４．２．サブカラーに基づく補正条件の決定｝
サーバ４０は、補正条件データベース６２を参照して、受信した変更要求に含まれるサブカラーのカラーコードに対応する補正条件を決定する（ステップＳ３０２）。補正条件データベース６２は、複数の色と対応付けた複数の補正条件を記憶している。サーバ４０は、受信した変更要求から、サブカラーのカラーコード「＃ＦＦＦＦＦＦ」を取得する。サーバ４０は、メインカラーのカラーコード「＃ＦＦ７Ｆ５０」と、サブカラーのカラーコード「＃ＦＦＦＦＦＦ」とを用いて補正条件データベース６２を検索し、補正値「＋０，＋０，＋１０」を取得する。サーバ４０は、取得した補正値「＋０，＋０，＋１０」を、サブカラーのカラーコードに対応する補正条件として決定する。
【００８９】
サブカラーのカラーコードに対応する補正条件が決定される理由を説明する。例えば、照明装置Ａ−１が、ステップＳ３０２で決定された照明色（ＲＧＢ値）でマネキンを照明した場合、マネキンにおけるメインカラーの部分を強調されるが、マネキンにおけるサブカラーの部分が目立たない可能性がある。このため、サーバ４０は、サブカラーのカラーコードに対応する補正条件を用いて照明条件を補正することにより、マネキンにおけるメインカラーの部分及びサブカラーの部分の両者を強調して見せることが可能となる。
【００９０】
｛２．４．３．季節データに基づく補正条件の決定｝
サーバ４０は、補正条件データベース６３を参照して、送信された変更要求に含まれる季節データに対応する補正条件を決定する（ステップＳ３０３）。
【００９１】
補正条件データベース６３は、複数の季節に対応する複数の補正条件を記憶している。サーバ４０は、受信した変更要求から、季節「秋冬」が記録された季節データを取得する。サーバ４０は、取得した季節データと、メインカラーのカラーコード「＃ＦＦ７Ｆ５０」と、サブカラーのカラーコード「＃ＦＦＦＦＦＦ」とを用いて補正条件データベース６２を検索する。サーバ４０は、検索の結果として、補正条件データベース６３から補正値「−３０，＋０，＋３０」を取得し、取得した補正値「−３０，＋０，＋３０」を季節「秋冬」に対応する補正条件として決定する。サーバ４０は、後述するように、季節データに記録された季節に対応する補正条件を用いて照明条件を補正する。これにより、展示物の季節感に合わせて展示物を照明することができる。
【００９２】
｛２．４．４．設置環境に対応する補正条件の決定｝
サーバ４０は、変更要求に含まれる照明装置Ａ−１のメインＩＤに基づいて、照明装置Ａ−１の設置環境を特定する（ステップＳ３０４）。具体的には、サーバ４０は、受信した変更要求に含まれる照明装置Ａ−１のメインＩＤを用いて、照明装置データベース７０において照明装置Ａ−１の設置環境を検索する。その結果、サーバ４０は、照明装置Ａ−１の設置環境として「路面」を取得する。
【００９３】
サーバ４０は、補正条件データベース６４を参照して、ステップＳ３０４で取得した照明装置Ａ−１の設置環境に対応する補正条件を決定する（ステップＳ３０５）。図１５を参照して、補正条件データベース６４は、複数の設置環境に対応する複数の補正値を記憶している。サーバ４０は、ステップＳ３０４で取得された設置環境「路面」と、メインカラーのカラーコード「＃ＦＦ７Ｆ５０」と、サブカラーのカラーコード「＃ＦＦＦＦＦＦ」と、季節データに記録された季節「秋冬」とを用いて、補正条件データベース６４を検索する。サーバ４０は、検索の結果として、補正条件データベース６４から補正値「−１０，−１０，−３０」を取得し、取得した補正値「−１０，−１０，−３０」を設置環境「路面」に対応する補正条件として決定する。
【００９４】
設置環境に対応する補正条件が決定される理由を説明する。展示物は、照明装置からの光の他に様々な光を受ける。例えば、ショーウィンドウ４７１は、道路に面している。この場合、ショーウィンドウ４７１のマネキンは、照明装置Ａ−１からの光の他に、自然光を受ける。照明装置Ａ−１がステップＳ３０２で決定された照明条件に従ってマネキンを照明したとしても、マネキンにおけるメインカラーの部分が自然光の影響を受けて強調されない可能性がある。
【００９５】
また、照明装置Ａ−１が屋内にある展示物を照明する場合を想定する。展示物は、自然光を受けないが、照明装置Ａ−１以外の他の照明装置の光を受ける。この場合、他の照明装置からの光の影響を無視することができない。そこで、照明装置Ａ−１の設置環境に対応する補正条件を用いて、ステップＳ３０２で決定された照明条件を補正することにより、照明装置Ａ−１以外の光源からの光の影響を小さくすることができる。
【００９６】
｛２．４．５．照明条件の補正｝
サーバ４０は、ステップＳ３０２、Ｓ３０３及びＳ３０５で決定した補正条件に基づいて、ステップＳ３０１で決定した照明条件を補正する（ステップＳ３０６）。
【００９７】
上述のように、サーバ４０は、メインカラーに対応する照明条件として、照明色のＲＧＢ値「２２０，２０，６０」を取得している（ステップＳ３０１）。サーバ４０は、取得した照明色のＲＧＢ値「２２０，２０，６０」を、ステップＳ３０２で取得した補正値「＋０，＋０，＋１０」と、ステップＳ３０３で取得した補正値「−３０，＋０，＋３０」と、ステップＳ３０５で取得した補正値「−１０，−１０，−３０」を用いて補正する。これらの補正値において、符号「＋」は、加算を示し、符号「−」は、減算を示す。この結果、照明色のＲＧＢ値「２２０，２０，６０」は、上記３つの補正値により、「１８０，１０，７０」へと補正される。
【００９８】
サーバ４０は、補正された照明色のＲＧＢ値を、照明装置Ａ−１の照明条件として照明装置データベース７０に記憶する（ステップＳ３０７）。
【００９９】
なお、ステップＳ３０２〜Ｓ３０６の説明として、照明条件と３種類の補正条件とが個別に決定される例を説明した。しかし、照明条件と３種類の補正条件とを一括して決定してもよい。この場合、サーバ４０は、照明装置データベース７０から照明装置Ａ−１の設置環境を取得する。サーバ４０は、メインカラーのカラーコードと、サブカラーのカラーコードと、季節データに記録された季節と、照明装置Ａ−１の設置環境とを検索条件として、照明制御データベース６０を検索する。この結果、サーバ４０は、照明制御データベース６０から、上記の照明条件と３種類の補正条件とを一括して取得することができる。
【０１００】
｛２．４．６．照明制御３６データの生成及び送信｝
サーバ４０は、補正された照明条件を含む照明制御データ３６を生成する（ステップＳ３０８）。具体的には、照明制御データ３６は、補正された照明色のＲＧＢ値「１８０，１０，７０」を含む。
【０１０１】
サーバ４０は、受信した変更要求に含まれている照明装置Ａ−１のメインＩＤに基づいて、ステップＳ３０７で生成された照明制御データ３６の送信先を照明装置Ａ−１に設定する（ステップＳ３０９）。具体的には、サーバ４０は、受信した変更要求から、照明装置Ａ−１のメインＩＤを取得し、取得したメインＩＤを用いて照明装置Ａ−１のＩＰアドレスを照明装置データベース７０から読み出す。サーバ４０は、読み出した照明装置Ａ−１のＩＰアドレスを、照明制御データ３６の送信先に設定する。
【０１０２】
図５を参照して、サーバ４０は、照明装置Ａ−１に照明条件の変更を指示するために、生成した照明制御データ３６を照明装置Ａ−１に送信する（ステップＳ４）。
【０１０３】
｛２．５．照明変更処理（ステップＳ５）｝
図５参照して、照明装置Ａ−１は、サーバ４０から照明制御データ３６を受信した場合、照明制御データ３６に含まれる照明条件に基づいて、照明変更処理を実行する（ステップＳ５）。具体的には、照明装置Ａ−１は、受信した照明制御データ３６をフラッシュメモリ３３に記憶し、記憶された照明制御データ３６から、補正された照明色のＲＧＢ値「１８０，１０，７０」を取得する。照明装置Ａ−１は、取得したＲＧＢ値「１８０，１０，７０」の色の光を出力するように、光源３４の各ＬＥＤの出力を制御する。この結果、ショーウィンドウ４７１のマネキンは、照明装置Ａ−１により、補正されたＲＧＢ値に基づく色の光で照明される。
【０１０４】
ショーウィンドウ４７１のマネキンは、店舗Ａの店員により指定されたメインカラーのカラーコードに対応する照明条件で照明されるため、マネキンが着ているトップスにおけるメインカラーが強調される。
【０１０５】
また、照明条件は、サブカラーのカラーコードに対応する補正条件により補正されている。従って、マネキンが着ているトップスのメインカラーだけでなく、ボトムスのサブカラーも強調される。照明条件が店舗Ａの店員により選択された季節に対応する補正条件で補正されているため、マネキンが着ている衣装の季節感に合わせて、マネキンを照明することができる。照明条件が照明装置Ａ−１の設置環境に対応する補正条件で補正されているため、照明装置Ａ−１からの光以外の光の影響を抑制することができる。
【０１０６】
サーバ４０は、照明制御データ３６を照明装置Ａ−１に送信した後に、指示完了通知を携帯通信端末２０Ａに送信する（ステップＳ６）。携帯通信端末２０Ａは、指示完了通知を受信した場合、選択された照明装置Ａ−１に照明制御データ３６を送信したことを示すメッセージをタッチパネル２３に表示する。これにより、店舗Ａの店員は、照明装置Ａ−１の照明条件が変更されたことを知ることができる。
【０１０７】
｛２．６．照明色の調整｝
照明装置Ａ−１が照明制御データ３６に基づいて照明条件を変更した後に、店舗Ａの店員は、携帯通信端末２０Ａを操作して、変更された照明装置Ａ−１の照明条件を調整することができる。なお、店舗Ａの店員は、照明条件として、照明色だけでなく明るさを調整することができる。例えば、ショーウィンドウ４７１の陽当たりなどによって、照明制御データ３６に基づいて変更された照明色を調整しなければならない場合が想定される。店舗Ａの店員が照明装置Ａ−１の照明色を調整することにより、ショーウィンドウ４７１における照明を店舗Ａの実情に合わせることができる。
【０１０８】
図５を参照して、携帯通信端末２０Ａは、指示完了通知（ステップＳ６）を受信した場合、照明装置Ａ−１の照明条件の調整値の入力を受け付ける（ステップＳ７）。具体的には、携帯通信端末２０Ａは、照明装置Ａ−１の照明条件を調整するか否かを確認するための確認画面を表示する。
【０１０９】
図１６は、タッチパネル２３に表示される確認画面を示す図である。図１６を参照して、開始ボタン５０１がタップされた場合、携帯通信端末２０Ａは、タッチパネル２３に調整値入力画面を表示して、照明装置Ａ−１の照明条件の調整値の入力を受け付ける。
【０１１０】
図１７は、タッチパネル２３に表示される調整値入力画面の一例を示す図である。図１７を参照して、調整値入力画面は、スライダ５１１〜５１４と、スライド型のチェックボックス５１５，５１６と、決定ボタン５１７とを含む。以下、スライド型のチェックボックスを、単に「チェックボックス」と省略して記載する。スライダ５１１は、照明装置Ａ−１の明るさの調整に用いられる。具体的には、スライダ５１１は、光源３４の白色ＬＥＤの出力を調整するために用いられる。スライダ５１２、５１３及び５１４は、それぞれ、光源３４における赤色ＬＥＤ、緑色ＬＥＤ及び青色ＬＥＤの出力を調整するために用いられる。
【０１１１】
チェックボックス５１５は、季節の選択に用いられる。チェックボックス５１５の初期値は、指示終了通知（ステップＳ６）に含まれる季節初期値に基づいて設定される。チェックボックス５１６は、設置環境の選択に用いられる。チェックボックス５１６の初期値は、指示終了通知に含まれる設置環境初期値に基づいて設定される。
【０１１２】
図１８は、指示完了通知に含まれるデータの一例を示す図である。図１８を参照して、指示完了通知は、季節初期値と、設置環境初期値と、季節変更量と、設置環境変更量とを含む。季節初期値は、ステップＳ３０４で補正条件を決定する際に用いられた季節である。設置環境初期値は、ステップＳ３０５で特定された照明装置Ａ−１の設置環境である。季節調整値は、チェックボックス５１５において季節が変更された場合に用いられる照明条件の調整値である。季節調整値は、ＲＧＢ値であり、補正条件データベース６３に記憶されている各季節の補正値に基づいて計算される。設置環境調整値は、チェックボックス５１６において設置環境が変更された場合に用いられる照明条件の調整値である。設置環境調整値は、ＲＧＢ値であり、補正条件データベース６３に記憶されている設置環境の補正値に基づいて計算される。
【０１１３】
店舗Ａの店員は、スライダ５１１〜５１４及びチェックボックス５１５，５１６を操作して、光源３４の各ＬＥＤの輝度の調整値を入力する。店舗Ａの店員は、調整値の入力を完了した後に、決定ボタン５１７をタップする。携帯通信端末２０Ａは、決定ボタン５１７がタップされた場合、店舗Ａの店員により入力された調整値に基づいて、Ｗ（ホワイト）値の調整量と、ＲＧＢ値の調整量とを生成する。Ｗ値は、光源３４の白色ＬＥＤの輝度を調整するために用いられる。Ｗ値の調整量は、スライダ５１１のつまみの移動量に基づいて生成される。
【０１１４】
ＲＧＢ値の調整量は、スライダ５１２〜５１４のつまみの移動量と、チェックボックス５１５，５１６の内容とに基づいて生成される。例えば、チェックボックス５１５において、「秋冬」から「春夏」に変更され、かつ、スライダ５１２のつまみがプラス側へ移動している場合、携帯通信端末２０Ａは、スライダ５１２のつまみの移動量に応じたＲ値を、季節変更量のＲ値に加算することにより、照明色の調整量を生成する。また、チェックボックス５１５において季節が「秋冬」から「春夏」に変更され、かつ、チェックボックス５１６において設置環境が「路面」から「屋内」に変更された場合、携帯通信端末２０Ａは、季節変更量のＲＧＢ値と設置環境変更量のＲＧＢ値との合計を計算することにより、照明色の調整量を生成する。
【０１１５】
図５を参照して、携帯通信端末２０Ａは、生成したＷ値の調整量及び照明色の調整量を含む調整量データ３７を、照明装置Ａ−１に送信する（ステップＳ８）。照明装置Ａ−１は、調整量データ３７を受信した場合、調整量データ３７に含まれるＷ値の調整量に基づいて、光源３４の白色ＬＥＤの輝度を増減させる。これにより、照明装置Ａ−１による照明の明るさが調整される。また、照明装置Ａ−１は、調整量データ３７に含まれるＲＧＢ値の調整量に基づいて、光源３４の赤色ＬＥＤ、緑色ＬＥＤ、青色ＬＥＤの輝度を増減させる。これにより、照明装置Ａ−１の照明色が調整される。
【０１１６】
携帯通信端末２０Ａは、調整量データ３７を照明装置Ａ−１に送信した後に、調整実行通知をサーバ４０に送信する（ステップＳ９）。調整実行通知は、照明装置Ａ−１の照明条件を調整したことを通知するために用いられ、調整量データ３７を含む。
【０１１７】
なお、図１６を参照して、確認画面において終了ボタン５０２がタップされた場合、携帯通信端末２０Ａは、調整値受付処理（ステップＳ７）を終了する。この場合、ステップＳ８及びＳ９は、実行されない。携帯通信端末２０Ａは、調整実行通知を送信せず、照明装置Ａ−１の照明条件を調整しないことをサーバ４０に通知する。
【０１１８】
サーバ４０は、調整実行通知を受信した場合、調整実行通知に含まれる調整量データ３７に基づいて、照明装置データベース７０に記憶されている照明装置Ａ−１の照明条件を更新する（ステップＳ１１）。
【０１１９】
｛３．３．照明色の一斉変更｝
店舗Ａの店員は、携帯通信端末２０Ａを操作して、店舗Ａ〜Ｃに設置された照明装置の照明条件を一斉に変更することができる。図１９は、店舗Ａの店員が携帯通信端末２０Ａを操作して照明色の一斉変更を指示する場合における照明制御システム１００の動作を示すシーケンス図である。
【０１２０】
図１９を参照して、携帯通信端末２０Ａは、店舗Ａの店員の操作に応じて、基準装置を決定する（ステップＳ２０１）。基準装置は、店舗Ａの店員が所望する照明色が設定された照明装置のことである。本実施の形態では、照明装置Ａ−１が基準装置として選択される場合を例に説明する。
【０１２１】
携帯通信端末２０Ａは、ステップＳ１０１（図６参照）でサーバ４０から取得した店舗Ａのフロアデータ４７Ａを表示して、基準装置の選択を受け付ける。店舗Ａの店員は、照明装置Ａ−１を基準装置として選択する。なお、店舗Ａの店員は、照明装置Ａ−１を選択した後に、色取得処理（ステップＳ１。図５参照）を携帯通信端末２０Ａに実行させて、照明装置Ａ−１の照明条件を変更してもよい。店舗Ａの店員は、調整値入力画面（図１７参照）に調整値を入力することにより、照明装置Ａ−１の照明条件を調整してもよい。
【０１２２】
店舗Ａの店員が一斉変更を指示した場合、携帯通信端末２０Ａは、一斉変更要求をサーバ４０に送信する（ステップＳ２０２）。一斉変更要求は、照明装置の照明色の一斉変更をサーバ４０に指示するために用いられ、ステップＳ２０１で選択された基準装置のメインＩＤを含む。
【０１２３】
サーバ４０は、一斉変更要求を受信した場合、照明装置データベース７０に基づいて、一斉変更の指示の対象となる照明装置を決定する（ステップＳ２０３）。具体的には、図７を参照して、サーバ４０は、照明装置データベース７０に記憶されている照明装置のうち、一斉変更フラグが「Ｔｒｕｅ」に設定されているフラグを、一斉変更の指示対象に決定する。図７に示す例では、照明装置Ｂ−１及びＣ−１の一斉変更フラグが「Ｔｒｕｅ」に設定されているため、照明装置Ｂ−１及びＣ−１が、一斉変更の指示対象に決定される。
【０１２４】
サーバ４０は、ステップＳ２０２において一斉変更の指示対象として決定された照明装置に、照明変更指示を送信する（ステップＳ２０４）。具体的には、サーバ４０は、受信した一斉変更要求から、基準装置として選択された照明装置Ａ−１のメインＩＤ「Ａ００１」を取得する。サーバ４０は、取得したメインＩＤに基づいて、照明装置データベース７０から照明装置Ａ−１の照明条件を読み出し、読み出した照明装置Ａ−１の照明条件を含む一斉変更要求を作成する。サーバ４０は、ステップＳ２０３で一斉変更対象の指示対象に決定した照明装置Ｂ−１及びＣ−１を、一斉変更要求の送信先に設定して、一斉変更要求を送信する。
【０１２５】
照明装置Ｂ−１及びＣ−１は、照明変更要求をサーバ４０から受信する。照明装置Ｂ−１及びＣ−１は、受信した照明変更要求に含まれる照明条件に基づいて、光源３４の出力を制御する（ステップＳ２０４）。ステップＳ２０４の処理は、ステップＳ５（図５参照）の処理と同じであるため、その詳細な説明を省略する。
【０１２６】
サーバ４０は、一斉変更要求を送信した後に、携帯通信端末２０Ｂ及び２０Ｃに変更完了通知を送信する（ステップＳ２０５）。具体的には、サーバ４０は、照明装置Ｂ−１の照明が変更されたことを携帯通信端末２０Ａに通知し、照明装置Ｃ−１の照明が変更されたことを携帯通信端末２０Ｃに通知する。これにより、店舗Ｂの店員は、照明装置Ｂ−１の照明が一斉変更により変更されたことを知ることができる。店舗Ｃの店員についても同様である。
【０１２７】
店舗Ｂの店員は、携帯通信端末２０Ｂを操作して、照明装置Ｂ−１の照明条件を調整することができる。携帯通信端末２０Ｂは、調整値の入力を受け付け（ステップＳ２０７）、調整量データ３７を照明装置Ｂ−１に送信する（ステップＳ２０８）。照明装置Ｂ−１は、受信した調整量データ３７に基づいて照明条件を調整する（ステップＳ２０９）。携帯通信端末２０Ｂは、調整要求を照明装置Ｂ−１に送信した後に、調整実行通知をサーバ４０に送信する（ステップＳ２１０）。サーバ４０は、受信した調整実行通知に基づいて、照明装置データベース７０に記録された照明装置Ｂ−１の照明条件を更新する（ステップＳ２１１）。ステップＳ２０７〜Ｓ２１１の処理は、ステップＳ７〜Ｓ１１（図５参照）の処理と同様であるため、その詳細な説明を省略する。
【０１２８】
図１９に示していないが、店舗Ｃの店員は、店舗Ｂの店員と同様に、携帯通信端末２０Ｃを操作して、照明装置Ｃ−１の照明条件を調整することができる。
【０１２９】
このように、複数の照明装置の照明条件を一斉に変更することにより、各店舗の店員は、照明装置により照明される展示物のメインカラー及びサブカラーを指定する操作を、照明装置ごとに行わなくてもよい。例えば、店舗Ａ〜Ｃにおいて同一の展示物を展示する場合、展示物のイメージを揃えるために、展示物を照明する照明装置の照明色を同じにすることが望ましい。この場合、携帯通信端末２０Ａが一斉変更を指示することにより、各店舗で同一の展示物を照明する照明装置の照明条件を容易に揃えることができる。
【０１３０】
｛変形例｝
上記実施の形態において、携帯通信端末２０Ａが、色取得処理（ステップＳ１。図６参照）において、撮影画像２８におけるメインカラーの位置に対応するカラーコードを取得したが（ステップＳ１０５）、これに限られない。サーバ４０が、ステップＳ１０５を実行してもよい。この場合、携帯通信端末２０Ａは、撮影画像２８と、ステップＳ１０４で指定された撮影画像２８におけるメインカラーの位置を示す座標データとを、サーバ４０に送信する。サーバ４０は、ＨＤＤ４４に格納された色識別テーブル５０に基づいて、メインカラー画素（メインカラーの位置に対応する撮影画像２８の画素）のカラーコードを取得する。つまり、サーバ４０は、複数の色と対応付けた複数の照明条件を記憶する照明条件データベース６１を参照して、ステップＳ１０４で指定された位置における撮影画像２８の色に対応する照明条件を決定すればよい。
【０１３１】
同様に、サーバ４０が、携帯通信端末２０に代わりステップＳ１０７（図６参照）を実行して、撮影画像２８におけるサブカラーの位置に対応するカラーコードを取得してもよい。つまり、サーバ４０は、複数の色と対応付けた複数の補正条件を記憶する補正条件データベース６２を参照して、ステップＳ１０６で指定された位置における撮影画像２８の色に対応する照明条件を決定すればよい。
【０１３２】
上記実施の形態において、携帯通信端末２０Ａが、季節選択画面（図１３参照）において、２つの選択ボタン２３７及び２３８を用いる例を説明したが、これに限られない。携帯通信端末２０Ａは、４つの季節の中からいずれか１つの選択を受け付けてもよいし、１２ヶ月の中からいずれか１つの月の選択を受け付けてもよい。つまり、携帯通信端末２０Ａは、ステップＳ１０８（図６参照）で時期の選択を受け付け、サーバ４０は、ステップＳ１０８で選択された時期に応じて照明条件を補正するようにすればよい。
【０１３３】
上記実施の形態において、携帯通信端末２０Ａは、照明装置Ａ−１の照明条件の調整（ステップＳ７〜Ｓ９。図５参照）を繰り返してもよい。例えば、携帯通信端末２０Ａは、調整実行通知を送信した（ステップＳ９）後に、確認画面（図１６参照）をタッチパネル２３に再び表示する。確認画面において開始ボタン５０１がタップされた場合、携帯通信端末２０Ａは、調整値入力画面を再び表示し、上記の処理を繰り返す。一方、確認画面において終了ボタン５０２がタップされた場合、携帯通信端末２０Ａは、ＲＧＢ値の調整量を含まない調整完了通知を送信する（ステップＳ１０）。
【０１３４】
上記実施の形態において、サーバ４０が、ステップＳ３０７（図１４参照）を実行して、メインカラーのカラーコードに対応する照明条件を補正する例を説明したが、これに限られない。サーバ４０は、照明条件を補正しなくてもよい。あるいは、サーバ４０は、サブカラーのカラーコードに対応する補正条件と、季節に対応する補正条件と、設置環境に対応する補正条件のうち、少なくとも１つを用いて照明条件を補正してもよい。
【０１３５】
上記実施の形態において、展示物が、衣料品を着ているマネキンや、展示用の棚に陳列された小物である例を説明したが、これに限られない。展示物は、一般に公開される物品であればよい。また、上記実施の形態では、展示スペースが、衣料品を販売する店舗のショーウィンドウや、店舗内に設置された展示用の棚が設置された空間である場合を説明したが、これに限られない。展示スペースは、展示物を展示するための空間であればよい。
【０１３６】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【０１３７】
１００  照明制御システム
１０Ａ〜１０Ｃ  無線ルータ
２０Ａ〜２０Ｃ  携帯通信端末
２１，３１，４１  ＣＰＵ
２２，３２，４２  ＲＡＭ
２３  タッチパネル
２４  カメラ
２５，３３  フラッシュメモリ
２６，３５  無線通信インタフェース
３６  照明制御データ
３７  調整量データ
２７  色取得プログラム
２８  撮影画像
３８  光源制御プログラム
４０  サーバ
４６  サーバプログラム
４７Ａ〜４８  フロアデータ
５０  色識別データベース
６０  照明制御データベース
７０  照明装置データベース
【図１】
0006691785.tif 000002
【図２】
0006691785.tif 000003
【図３】
0006691785.tif 000004
【図４】
0006691785.tif 000005
【図５】
0006691785.tif 000006
【図６】
0006691785.tif 000007
【図７】
0006691785.tif 000008
【図８】
0006691785.tif 000009
【図９】
0006691785.tif 000010
【図１０】
0006691785.tif 000011
【図１１】
0006691785.tif 000012
【図１２】
0006691785.tif 000013
【図１３】
0006691785.tif 000014
【図１４】
0006691785.tif 000015
【図１５】
0006691785.tif 000016
【図１６】
0006691785.tif 000017
【図１７】
0006691785.tif 000018
【図１８】
0006691785.tif 000019
【図１９】
0006691785.tif 000020